(57)【特許請求の範囲】
【請求項１】
設置場所ごとに、薬剤を廃棄する理由を有する廃棄情報を記憶する記憶部と、
薬剤に付されたコード情報または薬剤の外面情報を読み取って、読み取り対象の薬剤を識別する識別手段と、
前記記憶部に記憶された薬剤を廃棄する理由の一覧を自装置の設置場所に絞って表示する表示制御手段と、
前記表示制御手段が表示した薬剤を廃棄する理由の一覧から選択させることにより前記薬剤を廃棄する理由を入力させる入力手段と、
前記識別手段が読み取った薬剤と、前記入力手段で入力した廃棄理由とを関連付けて登録する登録手段と、
前記登録手段により登録された薬剤と、廃棄理由とを出力する出力手段と、
を備える薬剤登録装置。
【請求項２】
前記出力手段は、登録された薬剤と、廃棄理由とを印字する、
請求項１に記載の薬剤登録装置。
【請求項３】
前記出力手段は、登録された薬剤と、廃棄理由とを表示する、
請求項１又は２に記載の薬剤登録装置。
【請求項４】
設置場所ごとに、薬剤を廃棄する理由を有する廃棄情報を記憶する記憶部を備えたコンピュータを、
薬剤に付されたコード情報または薬剤の外面情報を読み取って、読み取り対象の薬剤を識別する識別手段と、
前記記憶部に記憶された薬剤を廃棄する理由の一覧を自装置の設置場所に絞って表示する表示制御手段と、
前記表示制御手段が表示した薬剤を廃棄する理由の一覧から選択させることにより前記薬剤を廃棄する理由を入力させる入力手段と、
前記識別手段が読み取った薬剤と、前記入力手段で入力した廃棄理由とを関連付けて登録する登録手段と、
前記登録手段により登録された薬剤と、廃棄理由とを出力する出力手段と、
として機能させるプログラム。
【発明の詳細な説明】
【技術分野】
【０００１】
本発明の実施形態は、薬剤登録装置およびプログラムに関する。
【背景技術】
【０００２】
従来、薬剤の取り違い等の過誤の発生を防止するために幾つかのシステムが提案されている。例えば、特許文献１記載のシステムにおいては、投薬しようとしている薬剤の容器に付されたバーコードで特定される薬剤情報と、投薬すべき薬剤の情報とを照合し、薬剤の誤使用を防止している。
【０００３】
手術室においては、看護師が、手術で使用された薬剤の空容器や、使用されずに廃棄される薬剤を手術後に集め、使用薬剤についての集計結果を伝票に手作業で記入した後、伝票を医事課へ提出する作業を行っていた。
【０００４】
しかしながら、繁忙な看護師は、使用されずに廃棄される薬剤の廃棄理由を必ずしも記入していなかった。
【発明の概要】
【発明が解決しようとする課題】
【０００５】
本発明が解決しようとする課題は、薬剤の廃棄理由を容易に記録することが可能な薬剤登録装置およびプログラムを提供することである。
【課題を解決するための手段】
【０００６】
実施形態の薬剤登録装置は、記憶部と、識別手段と、表示制御手段と、入力手段と、登録手段と、出力手段と、を備える。前記記憶部は、設置場所ごとに、薬剤を廃棄する理由を有する廃棄情報を記憶する。前記識別手段は、薬剤に付されたコード情報または薬剤の外面情報を読み取って、読み取り対象の薬剤を識別する。前記表示制御手段は、前記記憶部に記憶された薬剤を廃棄する理由の一覧を自装置の設置場所に絞って表示する。前記入力手段は、前記表示制御手段が表示した薬剤を廃棄する理由の一覧から選択させることにより前記薬剤を廃棄する理由を入力させる。前記登録手段は、前記識別手段が読み取った薬剤と、前記入力手段で入力した廃棄理由とを関連付けて登録する。前記出力手段は、前記登録手段により登録された薬剤と、廃棄理由とを出力する。
【図面の簡単な説明】
【０００７】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、薬剤登録装置の機能構成を示すブロック図である。
【図５】図５は、廃棄理由選択画面の一例を示す説明図である。
【図６】図６は、薬剤の廃棄情報が印字された廃棄品伝票を示す正面図である。
【図７】図７は、薬剤登録装置のＭＰＵが制御プログラムに従って実行する使用薬剤登録処理の流れを示すフローチャートである。
【図８】図８は、業務選択画面の一例を示す説明図である。
【図９】図９は、廃棄登録開始画面の一例を示す説明図である。
【図１０】図１０は、手入力画面の一例を示す説明図である。
【図１１】図１１は、廃棄登録画面の一例を示す説明図である。
【発明を実施するための形態】
【０００８】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【０００９】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。薬剤登録装置２０は、手術室に配置され、看護師によって手術中に使用された薬剤、あるいは救急の場などにおいて看護師や薬剤師等によって緊急的に使用された薬剤の登録支援を行うための装置である。薬剤登録装置２０は、手術室や、病棟や、薬剤部などの薬剤を取り扱う場所に設置される。本実施形態においては、薬剤登録装置２０は、薬剤師や看護師などによって、使用されずに廃棄される薬剤の廃棄理由の登録支援に用いられることを想定する。
【００１０】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１１】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１２】
装置本体部２４は、オペレータとなる看護師が各種操作を行うとともに、使用された薬剤のリスト等の各種情報を表示可能なタッチパネルディスプレイ２１を備えている。
【００１３】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）などの光源とを有している。スキャナ２２は、看護師ＩＤ（IDentification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１４】
なお、スキャナ２２は、図２に示すようなテーブル上に載置する形状に限るものではなく、床上に立設させるスタンド形状であってもよい。
【００１５】
また、薬剤登録装置２０は、薬剤の重量を測定する秤や、薬剤に付されたＲＦＩＤとの間でデータの読取り／書込みを行うＲＦＩＤリーダライタ等を備えていてもよい。
【００１６】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なＨＤＤ（Hard  Disk  Drive）や、ＳＳＤ（Solid  State  Drive）によって構成されている。
【００１７】
ここで、タッチパネルディスプレイ２１、スキャナ２２、プリンタ２３及び通信インタフェース３８は、入出力Ｉ／Ｏ３９を介してバス４０に接続されている。このバス４０には、ＭＰＵ３１、ＲＯＭ３２、ＲＡＭ３３及び外部記憶装置３４が接続されている。
【００１８】
なお、タッチパネルディスプレイ２１は、表示部であるディスプレイ３５及びタッチパネル３６を主体に構成されている。
【００１９】
また、記憶部である外部記憶装置３４は、薬剤マスタＤＢ１と、廃棄薬剤テーブルＴと、廃棄理由マスタＤＢ２とを備える。薬剤マスタＤＢ１は、コード情報と、薬剤の名称などの薬剤情報とを関連付けて記憶する。廃棄薬剤テーブルＴは、廃棄される薬剤についての集計結果を記憶する。廃棄理由マスタＤＢ２は、薬剤登録装置２０が設置されている場所と、薬剤の廃棄理由とを関連付けて記憶する。
【００２０】
薬剤の廃棄理由は、様々な理由がある。しかし、廃棄理由は、場所によって定まる場合がある。例えば、薬剤部で混注された薬剤を病棟にいる患者に投与する場合に、患者の容態が変化すると看護師は薬剤を投与せず廃棄する場合がある。一方、薬剤部には患者はいないことから、患者の容態が変化したことにより薬剤が廃棄されることはない。更に、薬剤部では、混注の際に混ぜる薬剤を間違えてしまう場合がある。一方、病棟では、混注をしないことから、混注の際に混ぜる薬剤を間違えたことにより、薬剤が廃棄されることはない。このように、廃棄理由は、場所により絞られる。廃棄理由マスタＤＢ２は、この特性を利用して作成されたデータベースである。
【００２１】
このような構成により、薬剤登録装置２０のＭＰＵ３１は、ＲＯＭ３２や外部記憶装置３４に記憶された制御プログラムに従って動作することで、使用された薬剤の登録支援を行う。
【００２２】
次に、実施形態にかかる薬剤登録装置２０が有する特徴的な機能について説明する。図４は、薬剤登録装置２０の機能構成を示すブロック図である。ＭＰＵ３１は、ＲＯＭ３２や外部記憶装置３４に記憶された制御プログラムに従って動作することで、図４に示すように、登録手段３１１と、表示制御手段３１２と、読取手段３１３と、識別手段３１４と、印字制御手段３１５と、として機能する。
【００２３】
読取手段３１３は、スキャナ２２がスキャンした撮像画像から、薬剤の識別子を読み取る。具体的には、読取手段３１３は、使用される薬剤に付されたコードシンボルのコード情報または使用される薬剤の全部または一部の外面情報を読み取る。バーコードや二次元コードなどのコードシンボルからコード情報を検出する処理については、従来からある技術なのでここでの説明は省略する。
【００２４】
識別手段３１４は、読取手段３１３による読み取り結果として得られた情報（コード情報または外面情報）に基づいて薬剤を識別して薬剤情報を抽出する。具体的には、識別手段３１４は、読取手段３１３が読み取ったコード情報と一致するコード情報を薬剤マスタＤＢ１から検索することで識別する。
【００２５】
また、薬剤の外面情報に基づいて薬剤を識別する方法は、予めコード情報に対応付けて薬剤の外面情報をテーブルとして記憶しておき、外面情報に基づく薬剤の薬剤情報をテーブルから抽出するようにすればよい。
【００２６】
登録手段３１１は、識別手段３１４で識別された薬剤と、薬剤の廃棄理由とを、外部記憶装置３４の廃棄薬剤テーブルＴに関連付けて登録する。
【００２７】
出力制御手段である表示制御手段３１２は、表示部であるディスプレイ３５に、識別手段３１４が識別した薬剤の廃棄情報の表示を制御する。識別手段３１４が薬剤を識別した場合に、表示制御手段３１２は、薬剤の廃棄理由の入力を求める廃棄理由選択画面を表示させる。
【００２８】
ここで、図５は、廃棄理由選択画面Ｇ１の一例を示す説明図である。廃棄理由選択画面Ｇ１は、図５に示すように「廃棄理由を選択してください。」というガイドコメントが表示される。また、廃棄理由選択画面Ｇ１は、複数の廃棄理由ボタンＢ１を備える。廃棄理由ボタンＢ１は、薬剤の廃棄理由の入力に使用するボタンである。廃棄理由ボタンＢ１は、廃棄理由マスタＤＢ２に記憶されている薬剤登録装置２０が設置されている場所に適した廃棄理由を表示する。図５は、「破損のため」「開封のため」「混注ミスのため」が選択可能となっている。
【００２９】
出力制御手段である印字制御手段３１５は、印字部であるプリンタ２３を制御して、識別手段３１４が識別した薬剤の廃棄情報を印字させる。印字制御手段３１５は、廃棄理由マスタＤＢ２に記憶された情報を用いて印字する。
【００３０】
ここで、図６は、薬剤の廃棄情報が印字された廃棄品伝票Ｄを示す正面図である。廃棄品伝票Ｄは、図６に示すように、廃棄薬剤テーブルＴに登録された薬剤の一覧を印字した伝票である。廃棄品伝票Ｄは、ヘッダＤ１と、基本情報Ｄ２と、廃棄薬剤データＤ３と、承認印欄Ｄ４とを備えている。ヘッダＤ１は、伝票名称を印字する領域である。基本情報Ｄ２は、出力日時と、処置日時と、発行場所と、作業者とを印字する領域である。
【００３１】
廃棄薬剤データＤ３は、Ｎｏ列と、薬品名列と、単位列と、本数列と、定数列と、を印字する列である。Ｎｏ列は、分類名と、項目Ｎｏとが印字される。分類名は、薬剤の分類の名称である。項目Ｎｏは、薬剤種別ごとに付与される一連の番号であって、分類名が異なる場合であっても一連の番号が継続して付与される。
【００３２】
薬品名列は、薬剤名と、薬剤のコード番号と、廃棄理由と、を印字する列である。薬剤名は、薬剤の名称が印字される。薬剤のコード番号は、薬剤のコードシンボルに付されている番号である。廃棄理由は、薬剤を廃棄する理由が印字される。
【００３３】
図６に示すように、単位列は、対象の薬剤の使用量の基準を印字する列である。本数列は、対象の薬剤が使用された量を印字する列である。定数列は、対象の薬剤が常備される量を印字する列である。承認印欄Ｄ４は、承認印を捺印する欄が印字される領域である。
【００３４】
次に、上述した実施形態にかかる薬剤登録装置２０のＭＰＵ３１が制御プログラムに従って実行する薬剤廃棄登録処理について説明する。実施形態にかかる薬剤登録装置２０は、使用された薬剤のコードシンボルや薬剤の画像などをスキャンし、薬剤廃棄登録処理を実行する。
【００３５】
図７は、薬剤登録装置２０のＭＰＵ３１が制御プログラムに従って実行する使用薬剤登録処理の流れを示すフローチャートである。図８に示すように、薬剤登録装置２０のＭＰＵ３１は、初期状態として、ディスプレイ３５に業務選択画面Ｇ２を表示する（ステップＳ１）。
【００３６】
図８は、業務選択画面Ｇ２の一例を示す説明図である。業務選択画面Ｇ２は、薬剤登録装置２０にて行う業務を選択する画面である。図８に示すように、業務選択画面Ｇ２は、業務を選択する複数のボタンを備える。
【００３７】
したがって、オペレータ（看護師）は、業務選択を行うために、廃棄登録ボタンＢ２を押下する。薬剤登録装置２０のＭＰＵ３１は、廃棄登録ボタンＢ２が押下され業務が選択されると（ステップＳ２；Ｙｅｓ）、ディスプレイ３５の表示画面に廃棄登録開始画面Ｇ３を表示する（ステップＳ３）。なお、いずれの業務も選択されない場合（ステップＳ２；Ｎｏ）、ステップＳ１に戻り、業務選択画面Ｇ２の表示を維持する。
【００３８】
図９は、廃棄登録開始画面Ｇ３の一例を示す説明図である。廃棄登録開始画面Ｇ３は、図９に示すように、薬剤のコードシンボルの読み取らせ方が表示される。また、廃棄登録開始画面Ｇ３は、手入力ボタンＢ３を備えている。手入力ボタンＢ３は、薬剤のコードシンボルに付されている数字を手入力で登録する場合に押下するボタンである。薬剤登録装置２０のＭＰＵ３１は、手入力ボタンＢ３が押下されるか否かを判定する（ステップＳ４）。
【００３９】
手入力ボタンＢ３が押下されず（ステップＳ４；Ｎｏ）、スキャナ２２の前に薬剤がかざされた場合に、薬剤登録装置２０のＭＰＵ３１は、コードシンボルを読み取る（ステップＳ５）。
【００４０】
一方、手入力ボタンＢ３が押下された場合に（ステップＳ４；Ｙｅｓ）、薬剤登録装置２０のＭＰＵ３１は、手入力画面Ｇ４を表示させる。図１０は、手入力画面Ｇ４の一例を示す説明図である。図１０の（ａ）は、手入力画面Ｇ４の検索前を示す一例である。図１０の（ａ）は、「薬剤コードを入力してください。」とのガイドコメントを表示して、コードシンボルに付されているコード情報の入力を求める。図１０の（ｂ）は、手入力画面Ｇ４の検索後を示す一例である。図１０の（ｂ）は、「薬剤を確定してください。」とのガイドコメントを表示して、検索条件と一致した候補一覧から薬剤の確定を求める。また、図１０に示すように、手入力画面Ｇ４は、数字ボタンＢ４と、検索ボタンＢ５と、キャンセルボタンＢ６と、確定ボタンＢ７とを備えている。
【００４１】
数字ボタンＢ４は、コードシンボルに付されているコード情報を入力する場合に使用するボタンである。数字ボタンＢ４は、０から９までの数字と、誤入力時に使用する一文字削除ボタンとを備えている。検索ボタンＢ５は、入力した番号と一致するコード情報を有する薬剤を、検索する場合に使用するボタンである。検索ボタンＢ５が押下されると、薬剤登録装置２０のＭＰＵ３１は、手入力画面Ｇ４の検索後の画面を表示する。
【００４２】
キャンセルボタンＢ６は、手入力を中止する場合に使用するボタンである。確定ボタンＢ７は、検索した薬剤を確定する場合に使用するボタンである。キャンセルボタンＢ６が押下されると（ステップＳ７；Ｙｅｓ）、薬剤登録装置２０のＭＰＵ３１は、手入力画面Ｇ４を消去してステップＳ４に戻る。キャンセルボタンＢ６が押下されず（ステップＳ７；Ｎｏ）、確定ボタンＢ７も押下されない場合に（ステップＳ８；Ｎｏ）、薬剤登録装置２０のＭＰＵ３１は、ステップＳ６に戻り、手入力画面Ｇ４を維持する。確定ボタンＢ７が押下された場合に（ステップＳ８；Ｙｅｓ）、薬剤登録装置２０のＭＰＵ３１は、手入力画面Ｇ４を消去してステップＳ９に移行する。
【００４３】
次いで、薬剤登録装置２０のＭＰＵ３１は、廃棄理由選択画面Ｇ１を表示する（ステップＳ９）。オペレータ（看護師）は、該当する廃棄理由が表示された廃棄理由ボタンＢ１を押下する。廃棄理由ボタンＢ１が押下され業務が選択されると（ステップＳ１０；Ｙｅｓ）、薬剤登録装置２０のＭＰＵ３１は、読み取った薬剤に、選択された廃棄理由を関連付けて廃棄薬剤テーブルＴに登録する（ステップＳ１１）。なお、いずれの廃棄理由ボタンＢ１も選択されない場合に、（ステップＳ１０；Ｎｏ）、薬剤登録装置２０のＭＰＵ３１は、ステップＳ９に戻り、廃棄理由選択画面Ｇ１を再度表示する。
【００４４】
次いで、薬剤登録装置２０のＭＰＵ３１は、廃棄登録画面Ｇ５を表示する（ステップＳ１２）。図１１は、廃棄登録画面Ｇ５の一例を示す説明図である。廃棄登録画面Ｇ５は、図１２に示すように、廃棄薬剤テーブルＴに登録された廃棄する薬剤の一覧を表示する画面である。また、廃棄登録画面Ｇ５は、廃棄される薬剤の廃棄理由を表示する。廃棄登録画面Ｇ５は、手入力ボタンＢ３と、印刷ボタンＢ８とを備えている。
【００４５】
薬剤登録装置２０のＭＰＵ３１は、印刷ボタンＢ８が押下されるか否かを判定する（ステップＳ１３）。印刷ボタンＢ８が押下されない場合に（ステップＳ１３；Ｎｏ）、薬剤登録装置２０のＭＰＵ３１は、ステップＳ４に戻り再度の入力を求める。
【００４６】
一方、印刷ボタンＢ８が押下された場合に（ステップＳ１３；Ｙｅｓ）、薬剤登録装置２０のＭＰＵ３１は、廃棄薬剤テーブルＴに登録された内容を廃棄品伝票Ｄに印刷する（ステップＳ１４）。
【００４７】
以上のように、本実施形態によれば、読み取った薬剤の廃棄理由を廃棄理由選択画面Ｇ１の廃棄理由ボタンＢ１を用いて入力する。入力された廃棄理由は、廃棄薬剤テーブルＴに登録される。その後、廃棄薬剤テーブルＴに登録された廃棄する薬剤と、廃棄理由をプリンタ２３によって印字する。これにより、薬剤の廃棄理由を容易に記録することが可能となる。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４９】
なお、上記実施形態では、業務選択画面Ｇ２で廃棄登録ボタンＢ２を選択した場合の廃棄理由の入力について説明している。廃棄理由の入力は、業務選択画面Ｇ２で廃棄登録を選択した場合に限らない。例えば、医師の指示により集めた薬剤が過不足なく集められているか否かの監査業務時に廃棄理由を入力させてもよい。具体的には、例えば、指示された薬剤の取り揃えが完了後、集めた薬剤の全部又は、一部に廃棄理由が生じた場合に、再度、薬剤の取り揃えを行う。その際に、廃棄理由選択画面Ｇ１を表示して廃棄理由を入力可能としてもよい。
【００５０】
なお、上記実施形態では、廃棄理由を廃棄理由ボタンＢ１にて入力すると説明している。しかし、廃棄理由の入力方法は、これに限らない。例えば、キーボードを接続して入力してもよい。または、タッチパネル３６を用いて手書きにて入力してもよい。または、マイクを接続して音声にて入力してもよい。
【００５１】
なお、上記実施形態では、廃棄理由マスタＤＢ２は、外部記憶装置３４に配置されていると説明している。しかし、廃棄理由マスタＤＢ２は、外部記憶装置３４以外に配置されてもよい。例えば、廃棄理由マスタＤＢ２は、薬剤部サーバ１９に配置されていてもよい。この場合には、通信ネットワーク１７が整備されている環境に、薬剤登録装置２０を設置し、通信インタフェース３８を用いて薬剤部サーバ１９と通信を行えばよい。
【００５２】
なお、上記実施形態では、薬剤に付されたバーコードや二次元コードなどのコードシンボルからコード情報を読み取ると説明しているが、コード情報は、コードシンボル以外であってもよい。例えば、コード情報は、ＲＦＩＤなどからコード情報を読み取るとしてもよい。この場合には、ＲＦＩＤリーダライタ等を新たに備えればよい。
【００５３】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００５４】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００５５】
３４    外部記憶装置
ＤＢ１  薬剤マスタ
ＤＢ２  廃棄理由マスタ
３１１  登録手段
３１２  表示制御手段
３１３  読取手段
３１４  識別手段
３１５  印字制御手段
Ｇ１    廃棄理由選択画面
Ｂ１    廃棄理由ボタン
Ｄ      廃棄品伝票
【先行技術文献】
【特許文献】
【００５６】
【特許文献１】特開２００２−１６３３５７号公報
【図１】
0005895309.tif 000002
【図２】
0005895309.tif 000003
【図３】
0005895309.tif 000004
【図４】
0005895309.tif 000005
【図５】
0005895309.tif 000006
【図６】
0005895309.tif 000007
【図７】
0005895309.tif 000008
【図８】
0005895309.tif 000009
【図９】
0005895309.tif 000010
【図１０】
0005895309.tif 000011
【図１１】
0005895309.tif 000012